(57)【要約】【課題】耐久性が高く、建築物におけるシロアリ防除に適した取り扱いやすい防蟻シートを提供する。【解決手段】樹脂製のシート本体２の成型時に樹脂素材と共にシロアリ忌避作用を有する複数の粒子３、４、５を包含させることで、防湿シート等として使用するのに適した防蟻シート１を構成した。【選択図】図３
2004121206.tif 000002
【特許請求の範囲】
【請求項１】
樹脂素材からなるシート本体と、このシート本体の成型時に前記樹脂素材と共にシート本体中に包含されたシロアリ忌避作用を有する複数の粒子とから構成してなることを特徴とする防蟻シート。
【請求項２】
前記粒子が、表面に開口する細孔部にヒノキチオールを含有するヒバ油を吸着した複数の多孔質粒子、又は複数の多孔質粒子を隔壁としてヒバ油を内包した構成のマイクロカプセルのいずれかを含むものである請求項１記載の防蟻シート。
【請求項３】
前記粒子が、ホウ素を含有する天然鉱石の粉砕物である粒子を含むものである請求項１又は２記載の防蟻シート。
【請求項４】
主材料に、更に活性炭粒子を含む請求項１、２又は３記載の防蟻シート。
【請求項５】
シート本体が、ビニル系、ポリエチレン系、ポリプロピレン系のうち何れかの樹脂素材からなるものである請求項１、２、３又は４記載の防蟻シート。
【請求項６】
前記粒子の樹脂素材に対する重量比が、０．５〜２％である請求項１、２、３、４又は５記載の防蟻シート。
【発明の詳細な説明】
【０００１】
【発明の属する技術分野】
本発明は、建築物に対するシロアリ防除に有効な防蟻シート及びその好適な使用方法に関するものである。
【０００２】
【従来の技術】
建築物におけるシロアリ被害に対する防止策として、シロアリに対する殺虫、防虫又は忌避作用を有する化学薬剤を建築物の床下に散布したり、同様の化学薬剤を不織布等のシート材に含浸させ、このシート材を床パネルの下面に貼り付けるというような方法が従来より採用されている（特許文献１参照）。
【０００３】
【特許文献１】
特開昭５９−１２６８４２号公報
【０００４】
【発明が解決しようとする課題】
ところが、化学薬剤の散布による方法では、薬剤の蓄積による土壌汚染、揮発した薬剤による居住者への健康被害、散布時の飛散による作業者への健康被害等の様々な問題が指摘されている。一方、薬剤を含浸させたシート材を床パネルに貼り付ける方法では、床下の土壌中から基礎コンクリートを這い上がったシロアリが、床部を避けて柱等の木部を食い荒らすことがある。さらにシロアリは、一般に湿潤な木材を好んで食べることがよく知られているが、木材の他にも布や紙はもちろん、コンクリート、土、ゴム、ある種のプラスチックス材等も食害又は案孔する極めて雑食性の高い害虫であるために、基礎コンクリートやその下方に敷設される防湿シートもシロアリに食害されることがあるため、従来の方法では、有効にシロアリ被害を防止し得る対策とは言い難い。
【０００５】
そこで本発明は、化学薬剤を使用することなく、シロアリの建築物への這い上がりを有効に防止できる防蟻シート及びその使用方法を提供するものである。
【０００６】
【課題を解決するための手段】
すなわち、本発明の防蟻シートは、樹脂素材からなるシート本体と、このシート本体の成型時に前記樹脂素材と共にシート本体中に包含されたシロアリ忌避作用を有する複数の粒子とから構成してなることを特徴とするものである。ここで、複数の粒子とは、単一種類の粒子が複数あるもの、複数種類の粒子が複数ずつあるものの何れであっても良い。
【０００７】
したがって、樹脂素材のみで形成された従来の建築用シート材にシロアリ忌避作用を付与した防蟻シートを構成することができるため、単なる樹脂シートではなく付加価値の高いものを提供することができるようになる。特に、従来のように薬剤を散布してシロアリ駆除又は防除を行う場合と比較して、散布時の飛散がないことから、作業者への健康被害のおそれがなく、さらに不織布等と比較して耐久性を向上することが可能である。
【０００８】
ここで、ヒバ油は、青森ヒバや台湾ヒノキに代表される木材の抽出液に含まれており、ヒノキチオール等の化合物を含有し、シロアリやダニ等の害虫に対する高い忌避作用や、カビ等の雑菌の繁殖抑制などに高い作用を発揮する有用な天然物質であることが知られてきている。そこで、シロアリ忌避作用を有する粒子として、表面に細孔部に天然成分であるヒノキチオールを含有するヒバ油を吸着したセラミックスや珪藻土等の多孔質粒子、又はこれら多孔質粒子を隔壁としてヒバ油を内部空間に内包した構成のマイクロカプセルのいずれかを用いると、化学薬剤を使用しないことにより、土壌汚染や居住者及び作業者への健康被害などの懸念を払拭することができる。
【０００９】
また、天然に存在しシロアリ忌避作用を有する鉱石として、例えばコレマナイトというホウ素を含有するものが知られている。このような天然鉱石の粒子もシロアリ忌避作用を有する粒子として用いるのに適しているといえる。
【００１０】
さらに、防蟻シートに調湿性を付与するためには、防蟻シートの主材料に、木炭や竹炭等を原材料とする活性炭粒子を含ませるとよい。このようにすることで、防蟻シートを適用した床下等の湿度を図り、シロアリにとって棲息・繁殖しやすい湿潤した環境が形成されるのを防止することができるため、シロアリ忌避のために有効である。
【００１１】
一方、シート本体の原料となる樹脂素材には、ビニル系、ポリエチレン系、ポリプロピレン系の何れかの樹脂素材を適用することが望ましい。さらに、上述の効果を得るのに適した粒子の樹脂素材に対する重量比を、０．５〜２％とすることが好ましい。
【００１２】
以上のような防蟻シートの有用な使用方法としては、建築物における基礎コンクリート部の周囲の地面に敷設して使用することが望ましい。このようにすることで、シロアリは防蟻シートを避けるため、土壌中から基礎コンクリートへシロアリが這い上がるのを好適に防止することができる。特に、（財）木材保存協会が推奨する方法である、基礎コンクリートから２０ｃｍの幅で防蟻剤を散布する方法に準じて、その幅寸法で基礎コンクリートの周囲に防蟻シートを敷設すれば、好適にシロアリ被害を防止することができる。
【００１３】
また、防蟻シートを、建築物における基礎コンクリートの下方に敷設して防湿シートとして使用すると、従来ではシロアリに食害されるおそれのあった防湿シートを、そのような被害を受けないものとすることができる。
【００１４】
【発明の実施の形態】
以下、本発明の一実施形態を、図面を参照して説明する。
【００１５】
この実施形態の防蟻シート１は、合成樹脂製のシート本体２中に、マイクロカプセル３、コレマナイト粒子４及び活性炭粒子５を混練し含有するものである。
【００１６】
シート本体２は、例えばビニル樹脂のペレット２１を加圧溶融及び圧延することにより厚さ１ｍｍ以下乃至５ｍｍ程度に形成されるものである。マイクロカプセル３及びコレマナイト粒子４は、シロアリ忌避作用を有する粒子として本実施形態の防蟻シート１に適用したものである。
【００１７】
具体的に、マイクロカプセル３は、例えば図２に模式的な概略断面図を示すように、表面から内部に連通する多数の細孔を備えた粒径数マイクロメートル〜数ミリメートルの大きさの合成シリカゲル３１とヒバ油３２とを主体とし、マイクロカプセル製造装置を用いて、真空の装置内部にヒバ油３２及び合成シリカゲル３１を噴霧することによって製造されるものである。そして、合成シリカゲル３１によって隔壁を形成し、その隔壁により包囲された中空の空間内にヒバ油３２を内包した構成を有し、合成シリカゲル３１同士の間隙や各合成シリカゲル３１が有する細孔（図示省略）を通じて内部のヒバ油３２を徐々に外部へ放出する性質を有している。なお、合成シリカゲル３１の細孔にもヒバ油３２が吸着された状態となっている。これにより、マイクロカプセル３からはヒバ油３２が徐々に放出することになるが、ヒバ油３２の放出は少なくとも５年間は持続する。ここで、ヒバ油３２は、青森ヒバ、台湾ヒノキ、木曽ヒノキ等ヒノキ科の植物の抽出油として得られるものであるが、本実施形態では例えば青森ヒバの木片、枝葉の水蒸気抽出により得られる油性成分のうちの酸性油を用いている。このようにして得られるヒバ油３２には、ヒノキ科特有の７員環化合物であるトロポロン類が含まれており、そのなかでも特にシロアリに対して高い忌避効果を有する成分であるヒノキチオール（Ｃ１０Ｈ１２Ｏ２）及びその類縁体であるβ−ドラブリン（Ｃ１０Ｈ１０Ｏ２）との含有量が約２％で品質がほぼ一定に安定したものを利用している。なお、マイクロカプセル３の代わりに合成シリカゲル３１等の多孔質粒子を適用することもでき、その場合には、ヒバ油３２の原液又は希釈液を入れた容器に合成シリカゲル３１等の多孔質粒子を投入すると、その表面に開口する細孔部にヒバ油３２が吸着させる。このようなものを用いると、細孔部からヒバ油３２が徐々に揮発して放出されることになる。
【００１８】
一方、コレマナイト粒子４は、１ｇ中にホウ素を１ｍｇ以下含有する天然の鉱石であるコレマナイトを数マイクロメートル〜数ミリメートルの大きさの砂粒上に粉砕して得られるものである。なお、コレマナイトは、含有するホウ素の作用によりシロアリが寄ってこないという忌避作用を有する天然の鉱石として知られている。また、活性炭粒子５は、適宜の種類の木材又は竹等を焼成して木炭又は竹炭とし、それを大きさ数マイクロメートルの粉粒状に粉砕することにより得られるものである。
【００１９】
このような素材から構成される防蟻シート１は、例えば図１に示すような、ホッパーＭ１、混合槽Ｍ２、溶融機Ｍ３及び圧延機Ｍ４等を備えた通常の樹脂シート製造装置Ｍで製造される。すなわち、ホッパーＭ１に投入した各材料を、例えばビニル樹脂ペレット２１に対して、全種類の粒子の合計重量比が０．５〜２％となるように、マイクロカプセル３を０．５〜２％、コレマナイト粒子４を１〜４％、活性炭粒子５を１％以下の割合で混合槽Ｍ２にて混合し、溶融機Ｍ３で加熱溶融した後、圧延機Ｍ４で所定の厚さ及び長さに圧延することによって、図３に模式的な概略断面図として示すような、溶融したビニル樹脂ペレット２１から形成されたシート本体２にマイクロカプセル３、コレマナイト粒子４及び活性炭粒子５が練り込まれた状態として製造される。同図では、マイクロカプセル３、コレマナイト粒子４及び活性炭粒子５を模式化し誇張して示している。
【００２０】
このようにして得られた防蟻シート１は、次のようにして使用することで、高い防蟻効果を得ることができる。
【００２１】
すなわち、建築物Ｋの建築時においては、まず土壌Ｓを所定の深さに掘り下げて、多数の栗石６１を敷き詰めることにより栗石層６を形成し、その上に本実施形態の防蟻シート１を敷く。そして、その上に基礎コンクリート７を打設する。このようにすることで、防蟻シート１はまず従来の防湿シートと同様の機能を奏する。さらに、この防蟻シート１に包含されているマイクロカプセル３がヒバ油３２を放出すると、このヒバ油３２に含まれるヒノキチオールの作用により、シロアリが栗石層６から上方には上ることができないため、基礎コンクリート７がシロアリによる食害を受けるのを防止することができる。なお、従来の防虫剤や抗菌剤の散布とは異なり、マイクロカプセル４がヒバ油４２を長期的に徐々に放出するため、改めて何度も塗布作業を行う必要はない。また、防蟻シート１に包含されているコレマナイト粒子４中のホウ素をシロアリが忌避するため、マイクロカプセル３中のヒバ油３２が全て揮発した後もシロアリによる被害から基礎コンクリート７を保護することができる。なお、コレマナイト粒子４中のホウ素は経時的に減少するものではないため、この効果は半永久的に持続する。さらに、防蟻シート１に含まれる活性炭粒子５が、基礎コンクリート７の底面側における水分を吸着し、又は過度の乾燥時にはその吸着した水分を放出するという調湿作用を奏するため、地下の湿度をほぼ一定に維持し、シロアリが棲息しやすい湿潤した環境となるのを防ぐこともできる。また、シート本体２が樹脂製であるため、防蟻シート１の耐久性が高いものとなるので、建築物の施工後には防蟻シート１を交換する必要もなく、極めて長期間に亘って防シロアリ効果を維持することが可能である。
【００２２】
一方、基礎コンクリート７の施工後には、その基礎コンクリート７の周囲に沿って地面に防蟻シート１を敷設する。このとき、防蟻シート１の幅寸法は、例えば（財）木材保存協会が推奨する防蟻剤の散布方法に準じて、約２０ｃｍとすることが望ましい。この場合も地下に防蟻シート１を敷設した場合と同様に、防蟻シート１内のマイクロカプセル３から放出されるヒバ油３２中のヒノキチオールや、コレマナイト粒子４中のホウ素をシロアリが忌避するために、土壌Ｓ中からシロアリが基礎コンクリート７を這い上り、基礎コンクリート７上に施工される木材８が食害されることを有効に防止することができる。なお、空気中に揮発したヒバ油３２中のヒノキチオールは、シロアリのみならず、ダニ等の害虫やカビ等の雑菌の繁殖も抑制することができるので、防蟻シート１自体だけでなく、基礎コンクリート７や木材８の劣化や腐食も防止することができる。
【００２３】
なお、本発明は上述した実施形態に限られるものではない。例えば、シート本体の原料には、ビニル樹脂以外の適宜の樹脂素材を用いてもよいし、シート本体に包含される粒子を、マイクロカプセル単独、コレマナイト単独、又はそれと活性炭粒子との組み合わせとすることも可能である。その他、樹脂素材とその他の原料との配合割合を変更することや、マイクロカプセルを構成する多孔質粒子に珪藻土を適用するなど、各部の具体的構成や具体的な使用方法についても上記実施形態に限られるものではなく、本発明の趣旨を逸脱しない範囲で種々変形が可能である。
【００２４】
【発明の効果】
以上に説明したように、本発明の防蟻シートによれば、従来の不織布等と比較して耐久性の高い樹脂製のシート本体に、シロアリ忌避作用を有する粒子を包含した構成としているので、長期に亘る使用に耐え得る優れた防蟻シートとして役立つものである。したがって、特に基礎コンクリートの下方に敷設する防湿シートとして使用するのに適したものである。さらに、前記粒子として、シロアリ忌避作用を有するヒノキチオールを含む液剤を吸着した多孔質のマイクロカプセルや、同じくシロアリ忌避作用を有するホウ素を含む鉱石の粉末を用いることで、化学薬剤による居住者や施工作業者への健康被害や土壌汚染等の心配がなく安心して使用することができる防蟻シートを提供することができる。その上、シロアリ忌避作用を有する粒子と共に、炭の粒子もシート本体に包含させるようにすることで、調湿作用も有する防蟻シートとして付加価値を高めることができる。
【図面の簡単な説明】
【図１】本発明の一実施形態に係る防蟻シートの製造工程を示す説明図。
【図２】同実施形態に適用されるマイクロカプセルを模式的に示す概略断面図。
【図３】同実施形態の防蟻シートを模式的に示す概略断面図。
【図４】同実施形態の使用例を示す説明図。
【符号の説明】
１…防蟻シート
２…シート本体
３…マイクロカプセル
４…鉱石の粉砕物（コレマナイト粒子）
５…活性炭粒子
７…基礎コンクリート
３１…多孔質粒子（合成シリカゲル）
３２…ヒバ油
【図１】
2004121206.tif 000003
【図２】
2004121206.tif 000004
【図３】
2004121206.tif 000005
【図４】
2004121206.tif 000006